(57)【要約】【課題】  簡単安価な構造で小径ディスクを確実に位置決めできるようにすること。【解決手段】  トレイオープン状態でトレイ１の小径凹部４に小径ディスクＤａを載置するかまたは大径凹部５に大径ディスクＤｂを載置するようにしたディスク装置において、前記トレイ１の小径凹部４の後部から大径凹部５の後部にかけて一対の凹孔２０が貫設され、該各凹孔２０内に回動可能に配置され自重により起立して先端部２１ａを大径凹部５の底面５ａよりも上方に突出させ該大径凹部５上に載置した大径ディスクＤｂによりその大径凹部５の底面５ａよりも下方に押し下げるようにした一対の位置決め片２１が設けられ、該各位置決め片２１に一体形成されてトレイ１に当接することによりその各位置決め片２１を起立状態から後方に回動するのを阻止するストッパ２４が設けられている。【選択図】        図５
2011054225.tif 000002
【特許請求の範囲】
【請求項１】
トレイがローダーシャーシに前後進可能に支持され、該トレイの上面に小径ディスクを
収納するための小径凹部と大径ディスクを収納するための大径凹部とが同心状に形成され
、トレイの両凹部の中心部から該トレイの後部まで開口部が形成され、ターンテーブルと
光ピックアップとを搭載したトラバースシャーシがローダーシャーシ内に昇降可能に配置
されており、トレイオープン状態でトレイの小径凹部に小径ディスクを載置するかまたは
大径凹部に大径ディスクを載置し、トレイを後進させてローダーシャーシ内に収納し、ト
ラバースシャーシを上動させ、トレイの開口部を通るターンテーブルにより小径ディスク
または大径ディスクを持ち上げてチャッキングし、該ターンテーブルにより高速回転させ
た小径ディスクまたは大径ディスクに記録されている情報を光ピックアップにより読み取
るようにしたディスク装置において、前記トレイの小径凹部の後部から大径凹部の後部に
かけて開口部を間に挟んで左右一対の凹孔が貫設され、該各凹孔内に回動可能に配置され
自重により起立して先端部を大径凹部の底面よりも上方に突出させ該大径凹部上に載置し
た大径ディスクによりその大径凹部の底面よりも下方に押し下げるようにした一対の位置
決め片が設けられ、該各位置決め片に一体形成されてトレイに当接することによりその各
位置決め片を起立状態から後方に回動するのを阻止するストッパが設けられていることを
特徴とするディスク装置。
【請求項２】
前記各位置決め片の両側面に一対の支軸が一体突設され、該各支軸に対向して前記各凹
孔の両内側面からトレイの上面にかけて軸受溝が形成され、前記各ストッパが各位置決め
片の下端から側方に延ばされており、各位置決め片を各凹孔に挿入することにより、各支
軸を各軸受溝に挿入すると共に、ストッパをトレイの下面に当接させるようにしたことを
特徴とする請求項１に記載のディスク装置。
【発明の詳細な説明】
【技術分野】
【０００１】
本発明は、例えばＢｌｕ−ｒａｙ  Ｄｉｓｃ式のレコーダ（またはプレーヤ）などのデ
ィスク装置に関し、特に、簡単安価な構造で小径ディスクをトレイの小径凹部内に確実に
位置決めできるようにしたものである。
【背景技術】
【０００２】
従来、ディスク装置として図６〜図８に示すものがあり、これはＢｌｕ−ｒａｙ  Ｄｉ
ｓｃ式のレコーダ（またはプレーヤ）であって、図６は同トレイオープン状態の平面図、
図７は同トレイオープン状態の縦断面図、図８は同トレイイン状態の縦断面図である。
【０００３】
図６及び図７に示すように、合成樹脂製トレイ１がローダーシャーシ２に前後進ａ，ｂ
可能に支持され、該ローダーシャーシ２内にトラバースシャーシ３が配置され、前記トレ
イ１の上面に８ｃｍの小径ディスクＤａを収納するための小径凹部４と１２ｃｍの大径デ
ィスクＤｂを収納するための大径凹部５とが同心状に形成され、トレイ１の両凹部４，５
の中心部から該トレイの後部まで開口部６が形成されている。
【０００４】
図６及び図７に示すように、前記トラバースシャーシ３は、シャーシ本体３ａと、レバ
ーシャーシ３ｂとを有し、シャーシ本体３ａの後部がゴムからなる後側弾性体８を介して
ローダーシャーシ２に上下動ｃ，ｄ可能に連結されると共に、該シャーシ本体３ａの前部
がゴムからなる前側弾性体９を介してレバーシャーシ３ｂに連結され、前記シャーシ本体
３ａにターンテーブル１０付きスピンドルモータ１１とディスクＤａ，Ｄｂの半径方向に
移動可能な対物レンズＯＬ付き光ピックアップ１２とが搭載されている。
【０００５】
図６及び図７に示すように、前記ローダーシャーシ２の前部にカムスライダ１４が前後
進ａ，ｂ方向とは直交する左右方向ｅ，ｆに沿ってスライド可能に配置され、該カムスラ
イダ１４に形成したカム溝１５ａと、レバーシャーシ３ｂに一体突設されてカム溝１５ａ
に嵌入するカムピン１５ｂとからなるカム機構１５によりカムスライダ１４とレバーシャ
ーシ３ｂとが連動連結されている。
【０００６】
図６に示すように、カムスライダ１４の一端にカムラック１４ａが形成されると共に、
該カムラック１４ａに対向して駆動ピニオン１６が正逆回転可能に配置されている。なお
、図７中、１７はターンテーブル１０に対向して一定範囲内昇降可能に配置したクランパ
である。
【０００７】
動作原理を説明すると、図６及び図７に示すトレイオープン状態において、トレイ１の
小径凹部４に小径ディスクＤａ（または大径凹部５に大径ディスクＤｂ）を載置し、エジ
ェクト釦を押すことにより、トレイ１を後進ｂさせてローダーシャーシ２内に収納し、カ
ムラック１４ａを駆動ピニオン１６に噛合させ、該駆動ピニオン１６の回転駆動によりカ
ムスライダ１４を矢印ｅ方向にスライドさせることにより、図８に示すように、カム機構
１５を介してレバーシャーシ３ｂ及びシャーシ本体３ａを上動ｃさせ、トレイ１の開口部
６を通るターンテーブル１０により小径ディスクＤａ（または大径ディスクＤｂ）を持ち
上げてクランパ１７とでチャッキングし、スピンドルモータ１１によりターンテーブル１
０を介して高速回転させた小径ディスクＤａ（または大径ディスクＤｂ）に記録されてい
る情報を光ピックアップ１２により読み取る。なお、関連する技術として特許文献１に記
載したものがある。
【先行技術文献】
【特許文献】
【０００８】
【特許文献１】特開平１１−１１０８７４号公報
【発明の概要】
【発明が解決しようとする課題】
【０００９】
上記従来の構成では、小径ディスクＤａを小径凹部４上に載置する場合に、その小径デ
ィスクＤａが小型軽量であると共に、小径凹部４が浅底状で該小径凹部４の内周面４ａが
上広がり状に傾斜されているので、その小径ディスクＤａを小径凹部４から後方にずれた
位置に間違えて載置することがあり、特に、図７に仮想線で示すように、ローダーシャー
シ２をその前側が高くなるように傾斜して配置した場合に、小径ディスクＤａが小径凹部
４上から後方に滑って位置ずれされることがある。
【００１０】
その位置ずれ状態で、トレイ１を後進ｂさせてローダーシャーシ２内に収納すると（図
８参照）、その小径ディスクＤａがターンテーブル１０から偏心して位置ずれされた状態
となり、該ターンテーブル１０を上昇させると、そのターンテーブル１０により小径ディ
スクＤａを確実にチャッキングすることができず、チャッキングミスになる。
【００１１】
上記難点を解消する技術の一例として特許文献１に記載のものを利用することが考えら
れる。これは、トレイ１の小径凹部４の内周面４ａの近傍に複数の位置決め片を所定間隔
をおいて回動可能に配置したものであって、ローダーシャーシ２を水平の横置き状態から
縦置き状態にしたときに、各位置決め片が自重により回動してその先端部を突出させ、そ
の突出する先端部で小径ディスクＤａが落下しないように支える。
【００１２】
上記構成では、ローダーシャーシ２をその先端が上向きになるように傾斜させる場合に
（図２仮想線参照）、位置決め片の先端部が起立されず、使用不能である。また、各位置
決め片の先端部を押し下げる機構が設けられており、その機構の構造が複雑であるから、
製作費が高くつく。
【００１３】
本発明は、上記従来の欠点に鑑み、簡単安価な構造で小径ディスクをトレイの小径凹部
内に確実に位置決めできるようにしたディスク装置を提供することを目的としている。
【課題を解決するための手段】
【００１４】
上記目的を達成するため、請求項１に記載の発明は、トレイがローダーシャーシに前後
進可能に支持され、該トレイの上面に小径ディスクを収納するための小径凹部と大径ディ
スクを収納するための大径凹部とが同心状に形成され、トレイの両凹部の中心部から該ト
レイの後部まで開口部が形成され、ターンテーブルと光ピックアップとを搭載したトラバ
ースシャーシがローダーシャーシ内に昇降可能に配置されており、トレイオープン状態で
トレイの小径凹部に小径ディスクを載置するかまたは大径凹部に大径ディスクを載置し、
トレイを後進させてローダーシャーシ内に収納し、トラバースシャーシを上動させ、トレ
イの開口部を通るターンテーブルにより小径ディスクまたは大径ディスクを持ち上げてチ
ャッキングし、該ターンテーブルにより高速回転させた小径ディスクまたは大径ディスク
に記録されている情報を光ピックアップにより読み取るようにしたディスク装置において
、前記トレイの小径凹部の後部から大径凹部の後部にかけて開口部を間に挟んで左右一対
の凹孔が貫設され、該各凹孔内に回動可能に配置され自重により起立して先端部を大径凹
部の底面よりも上方に突出させ該大径凹部上に載置した大径ディスクによりその大径凹部
の底面よりも下方に押し下げるようにした一対の位置決め片が設けられ、該各位置決め片
に一体形成されてトレイに当接することによりその各位置決め片を起立状態から後方に回
動するのを阻止するストッパが設けられていることを特徴としている。
【００１５】
請求項２に記載の発明は、請求項１に記載の発明において、前記各位置決め片の両側面
に一対の支軸が一体突設され、該各支軸に対向して前記各凹孔の両内側面からトレイの上
面にかけて軸受溝が形成され、前記各ストッパが各位置決め片の下端から側方に延ばされ
ており、各位置決め片を各凹孔に挿入することにより、各支軸を各軸受溝に挿入すると共
に、ストッパをトレイの下面に当接させるようにしたことを特徴としている。
【発明の効果】
【００１６】
請求項１に記載の発明によれば、トイレの小径凹部の後部から大径凹部の後部にかけて
形成した左右一対の凹孔内に配置した位置決め片の先端部が上方に突出されているので、
その先端部をガイドにして小径ディスクを小径凹部上に位置ずれしないように載置するこ
とができ、特に、ローダーシャーシをその前側が高くなるように傾斜して配置した場合で
も、小径ディスクが小径凹部上から後方に滑るのを阻止することができ、ターンテーブル
による小径ディスクのチャッキング作業を確実に行なうことができる。
【００１７】
また、一対の位置決め片をトレイの凹孔内に配置しているだけであるから、構造簡単で
製作費が安くつく
【００１８】
請求項２に記載の発明によれば、位置決め片を凹孔に挿入するだけで、該位置決め片の
一対の支軸が各軸受溝に挿入されると共に、その位置決め片の下端から側方に延びるスト
ッパがトレイの下面に当接されるようになっており、その位置決め片の取付作業を簡単容
易に行なうことができる。
【００１９】
位置決め片の取付け状態では、ストッパがトレイの下面に当接されて引っ掛かっている
ので、ローダーシャーシを大きく傾けたとしても、凹孔から位置決め片が不測に外れるお
それがなく、その位置決め片を凹孔内に確実に保持することができる。
【図面の簡単な説明】
【００２０】
【図１】本発明の実施の一形態であるディスク装置のトレイオープン状態の平面図である。
【図２】同トレイオープン状態の縦断面図である。
【図３】（ａ）は同要部の拡大斜視図、（ｂ）は同要部の拡大縦断面図、（ｃ）は同要部の拡大横断面図、（ｄ）は同要部の拡大水平断面図である。
【図４】同要部の拡大分解斜視図である。
【図５】（ａ）は同小径ディスクの位置決め状態の要部の拡大縦断面図、（ｂ）は同小径ディスクの滑り止め状態の要部の拡大縦断面図、（ｃ）は同大径ディスクにより押し下げられた状態の要部の拡大縦断面図である。
【図６】従来例のトレイオープン状態の平面図である。
【図７】同トレイオープン状態の縦断面図である。
【図８】同トレイイン状態の縦断面図である。
【発明を実施するための形態】
【００２１】
図１〜図５は本発明の実施の一形態であるディスク装置を示すものであり、これはＢｌ
ｕ−ｒａｙ  Ｄｉｓｃ式のレコーダ（またはプレーヤ）であって、トレイ１の小径凹部４
の後部から大径凹部５の後部にかけて開口部６を間に挟んで左右一対の凹孔２０が貫設さ
れ、該各凹孔２０に位置決め片２１が配置されている。
【００２２】
図３及び図４に示すように、前記左右一対の凹孔２０は、平面視略長方形状であって、
小径凹部４の底面４ｂから該小径凹部４の内周面４ａを横断して大径凹部５の底面５ａま
で延びており、その各凹孔２０の内側面から大径凹部５の底面５ａ（トレイ１の上面）に
かけて一対の軸受溝２２が形成されている。
【００２３】
図３及び図４に示すように、前記位置決め片２１は、合成樹脂により成形されており、
その両側面に一体突設した一対の支軸２３を各軸受溝２２に挿入して、該各支軸２３を各
軸受溝２２の底面に当接させることにより、その両支軸２３の軸心Ｏを中心に位置決め片
２１が回動可能に形成されている。
【００２４】
図３（ｂ）に示すように、位置決め片２１の下端から側方にストッパ２４が延ばされ、
該位置決め片２１の重心Ｇを軸心Ｏよりも下方に位置決めしており、これによって、位置
決め片２１が自重により起立し、ストッパ２４がトレイ１の下面に当接され、位置決め片
２１が起立状態から後方に回動されるのを阻止する。
【００２５】
図３（ｂ）に示すように、支軸２３の軸心Ｏから位置決め片２１の先端部２１ａの上端
までの高さｈ１が軸心Ｏから大径凹部５の底面５ａまでの間隔ｈ２よりも大きく設定され
ており（ｈ１＞ｈ２）、位置決め片２１を起立させたときに、その先端部２１ａが大径凹
部５の底面５ａより上方に突出される。
【００２６】
図３（ｂ）に示すように、支軸２３の軸心Ｏから位置決め片２１の側面までの横幅ｋが
前記間隔ｈ２と同一またはわずかに小さく設定されており（ｋ≦ｈ２）、位置決め片２１
を押し下げて横倒しにしたときに、その位置決め片２１が凹孔２０内に没入される〔図５
（ｃ）参照〕。
【００２７】
図３（ｂ）に示すように、ターンテーブル１０により持ち上げた大径ディスクＤｂ（及
び小径ディスクＤａ）の下面から大径凹部５の底面５ａまでの間隔ｔ１が該大径凹部５の
底面５ａから位置決め片２１の先端部２１ａの上端までの間隔ｔ２よりも大きく設定され
ており（ｔ１＞ｔ２）、これによって、ターンテーブル１０により高速回転させた大径デ
ィスクＤｂが位置決め片２１に接触されないようにしている。
【００２８】
位置決め片２１の取付手順を説明すると、位置決め片２１を凹孔２０に挿入することに
より、該位置決め片２１の一対の支軸２３を各軸受溝２２に挿入すると共に、ストッパ２
４をトレイ１の下面に当接させる。
【００２９】
上記構成によれば、位置決め片２１を凹孔２０に挿入するだけで、該位置決め片２１を
トレイ１に簡単容易に取り付けることができる。
【００３０】
位置決め片２１の取付け状態では、ストッパ２４がトレイ１の下面に当接されて引っ掛
かっているので、ローダーシャーシ２を大きく傾けたとしても、凹孔２０から位置決め片
２１が不測に外れるおそれがなく、その位置決め片２１を凹孔２０内に確実に保持するこ
とができる。
【００３１】
更に、一対の位置決め片２１をトレイ１の各凹孔２０内に配置しているだけであるから
、構造簡単で製作費が安くつく
【００３２】
使用手順を説明すると、図１及び図２の実線に示すトレイオープン状態で、図５（ａ）
に示すように、ローダーシャーシ２を水平に横置きした場合、各位置決め片２１の先端部
２１ａをガイドにして、小径ディスクＤａを小径凹部４上に載置する。
【００３３】
上記構成によれば、各位置決め片２１の先端部２１ａが上方に突出されているので、そ
の各位置決め片２１をガイドにして小径ディスクＤａを小径凹部４上に位置ずれしないよ
うに載置することができる。
【００３４】
図５（ｂ）に示すように、ローダーシャーシ２をその前側が高くなるように所定角度α
（例えば２０°）で傾斜して配置した場合（図２仮想線参照）、各位置決め片２１の先端
部２１ａにより小径ディスクＤａが小径凹部４上から後方に滑るのを阻止する。
【００３５】
上記構成によれば、傾斜状態の小径凹部４上に小径ディスクＤａを滑らないように保持
して、ターンテーブル１０による小径ディスクＤａのチャッキング作業を確実に行なうこ
とができる。
【００３６】
図５（ｃ）に示すように、大径凹部５上に大径ディスクＤｂを載置した場合、その大径
ディスクＤｂの重みにより各位置決め片２１の先端部２１ａが押し下げられ、該各位置決
め片２１が横倒し状態で各凹孔２０内に没入される。従って、大径ディスクＤｂを大径凹
部５上に安定して載置することができる。
【符号の説明】
【００３７】
１        トレイ
２        ローダーシャーシ
３        トラバースシャーシ
４        小径凹部
５        大径凹部
６        開口部
１０      ターンテーブル
１２      光ピックアップ
２０      凹孔
２１      位置決め片
２２      軸受溝
２３      支軸
２４      ストッパ
Ｄａ      小径ディスク
Ｄｂ      大径ディスク
ａ，ｂ    前後進
ｃ，ｄ    上下動
【図１】
2011054225.tif 000003
【図２】
2011054225.tif 000004
【図３】
2011054225.tif 000005
【図４】
2011054225.tif 000006
【図５】
2011054225.tif 000007
【図６】
2011054225.tif 000008
【図７】
2011054225.tif 000009
【図８】
2011054225.tif 000010